(57)【要約】【課題】ケーブルコネクタにおけるプラグとジャックとの接続状態の強力な弛み止めを可能にする。【解決手段】プラグ１とジャック３それぞれの有底筒状ねじ体１０，１７は、プラグ１とジャック３それぞれの環状溝８，１５に底部９，１６が軸心方向移動と軸心周りの自転とが可能に嵌合するもので、互いにねじ嵌合することによりそれぞれの底部９，１６と環状溝８，１５の前側面とを介して雄形コネクタ部７と雌形コネクタ部１４とを軸心方向に締結するように構成され、ロック装置５の一対の二股形差込部２６，２７は、雄形コネクタ部７と雌形コネクタ部１４とを軸心方向に締結した状態での各接続用有底筒状ねじ体１０，１７の底部外側面９ｂ，１６ｂと環状溝８，１５の後側面８ｂ，１５ｂとの間の隙間２４，２５を埋める厚さを有するもので、その先端部内側には抜け止め用引っ掛かり部２６ａ，２７ａが形成された構成。【選択図】図１
2005203303.tif 000002
【特許請求の範囲】
【請求項１】
プラグとジャックとから成るケーブルコネクタとロック装置との組み合わせから成り、プラグには、雄形コネクタ部と当該雄形コネクタ部に外嵌する接続用有底筒状ねじ体とが設けられ、ジャックには、前記雄形コネクタ部に対し嵌脱自在な雌形コネクタ部と当該雌形コネクタ部に外嵌する接続用有底筒状ねじ体とが設けられ、各有底筒状ねじ体は、各コネクタ部の後側に形成された環状溝に底部が軸心方向移動と軸心周りの自転とが可能に嵌合するもので、互いにねじ嵌合することによりそれぞれの底部内側面と前記環状溝の前側面とを介して雄形コネクタ部と雌形コネクタ部とを軸心方向に締結するように構成され、ロック装置は、連結部と当該連結部の両端から同一方向に連設された一対の差込部とから成り、各差込部は、両接続用有底筒状ねじ体が互いにねじ嵌合して雄形コネクタ部と雌形コネクタ部とを軸心方向に締結した状態での各接続用有底筒状ねじ体の底部外側面と前記環状溝の後側面との間の隙間を埋める厚さを有するもので、当該環状溝に対し直径方向に抜き差し可能な二股形状に形成されると共に、その先端部内側には抜け止め用引っ掛かり部が形成された、ロック装置付きケーブルコネクタ。
【請求項２】
前記連結部が、両接続用有底筒状ねじ体の表面に沿う断面円弧状に形成されている、請求項１に記載のロック装置付きケーブルコネクタ。
【請求項３】
両接続用有底筒状ねじ体が互いにねじ嵌合して雄形コネクタ部と雌形コネクタ部とを軸心方向に締結した状態での各接続用有底筒状ねじ体の底部とこれが嵌合する前記環状溝の後側面との間の隙間が同一幅に構成され、ロック装置の一対の差込部の厚さが同一に構成されている、請求項１または２に記載のロック装置付きケーブルコネクタ。
【発明の詳細な説明】
【技術分野】
【０００１】
本発明は、プラグとジャックとの接続状態をロックするロック装置を備えたケーブルコネクタに関するものである。
【背景技術】
【０００２】
プラグとジャックとから成るケーブルコネクタとして、例えば特許文献１に記載されるように、一方のプラグに一定範囲内での軸方向移動が可能な雌ねじ筒が遊嵌され、プラグとジャックとを差し込んだ状態で前記雌ねじ筒を他方のジャック側に設けられた雄ねじ部に螺合締結することにより接続されるものが知られている。このようなケーブルコネクタに使用されるロック装置として、例えば特許文献１には、前記雌ねじ筒の全長とほぼ等しい長さの連結部の両端に、当該雌ねじ筒の両端に隣接してプラグの外周面とジャックの外周面とに弾性に抗して嵌合固定させることができるＣ字形装着部を連設したものが記載されている。
【特許文献１】実開平２−１６３号公報
【発明の開示】
【発明が解決しようとする課題】
【０００３】
上記の特許文献１に記載されたような従来のケーブルコネクタのロック装置においては、螺合締結状態の雌ねじ筒が弛み方向に回転すると共に軸方向に後退移動するのを、当該雌ねじ筒の両端に隣接する状態でプラグの外周面とジャックの外周面とに弾性により圧接している一対のＣ字形装着部とプラグの外周面とジャックの外周面との間の摩擦力で阻止する構成であるから、この摩擦力に打ち勝つ外力が雌ねじ筒の弛み方向に作用すれば、雌ねじ筒の弛み、延いてはプラグとジャックの差込接続状態の弛みを防止することができない。換言すれば、弛み止め機能は非常に低いものと言わざるを得ない。
【課題を解決するための手段】
【０００４】
本発明は上記のような従来の問題点を解消し得るロック装置付きケーブルコネクタを提供することを目的とするものであって、その手段を後述する実施形態の参照符号を付して示すと、プラグ１とジャック３とから成るケーブルコネクタとロック装置５との組み合わせから成り、プラグ１には、雄形コネクタ部７と当該雄形コネクタ部７に外嵌する接続用有底筒状ねじ体１０とが設けられ、ジャック３には、前記雄形コネクタ部７に対し嵌脱自在な雌形コネクタ部１４と当該雌形コネクタ部１４に外嵌する接続用有底筒状ねじ体１７とが設けられ、各有底筒状ねじ体１０，１７は、各コネクタ部７，１４の後側に形成された環状溝８，１５に底部９，１６が軸心方向移動と軸心周りの自転とが可能に嵌合するもので、互いにねじ嵌合することによりそれぞれの底部内側面９ａ，１６ａと前記環状溝８，１５の前側面８ａ，１５ａとを介して雄形コネクタ部７と雌形コネクタ部１４とを軸心方向に締結するように構成され、ロック装置５は、連結部２８と当該連結部２８の両端から同一方向に連設された一対の差込部２６，２７とから成り、各差込部２６，２７は、両接続用有底筒状ねじ体１０，１７が互いにねじ嵌合して雄形コネクタ部７と雌形コネクタ部１４とを軸心方向に締結した状態での各接続用有底筒状ねじ体１０，１７の底部外側面９ｂ，１６ｂと前記環状溝８，１５の後側面８ｂ，１５ｂとの間の隙間２４，２５を埋める厚さを有するもので、当該環状溝８，１５に対し直径方向に抜き差し可能な二股形状に形成されると共に、その先端部内側には抜け止め用引っ掛かり部２６ａ，２７ａが形成された構成となっている。
【０００５】
上記構成の本発明を実施するについて、請求項２に記載のように、前記連結部２８は、両接続用有底筒状ねじ体１０，１７の表面に沿う断面円弧状に形成することができる。また、請求項３に記載のように、両接続用有底筒状ねじ体１０，１７が互いにねじ嵌合して雄形コネクタ部７と雌形コネクタ部１４とを軸心方向に締結した状態での各接続用有底筒状ねじ体１０，１７の底部外側面９ｂ，１６ｂと前記環状溝８，１５の後側面８ｂ，１５ｂとの間の隙間２４，２５を同一幅とし、ロック装置５の一対の差込部２６，２７の厚さを同一に構成することができる。
【発明の効果】
【０００６】
上記構成の本発明に係るロック装置付きケーブルコネクタによれば、ケーブルコネクタの雄形コネクタ部と雌形コネクタ部とを互いに嵌合接続した状態で、両接続用有底筒状ねじ体を互いにねじ嵌合することにより、当該両接続用有底筒状ねじ体の底部内側面で雄形コネクタ部と雌形コネクタ部とを軸心方向に締結することができるのであるが、この状態でロック装置の両端二股形差込部を、各接続用有底筒状ねじ体の底部外側面とプラグ及びジャックの環状溝の後側面との間の隙間に、その先端部内側の抜け止め用引っ掛かり部による抵抗に抗して差し込んで、前記隙間をロック装置の両端二股形差込部で埋めることにより、両接続用有底筒状ねじ体の弛み方向の相対回転による互いに離脱する方向の相対移動を確実強力に阻止することができる。
【０００７】
即ち、本発明の構成によれば、前記抜け止め用引っ掛かり部による抵抗に抗してロック装置の両端二股形差込部が引き抜かれない限り、両接続用有底筒状ねじ体の弛み方向の相対回転による互いに離脱する方向の相対移動を、両端二股形差込部の板厚方向の圧縮応力で確実強力に阻止することができ、従来のものと比較して弛み止め機能は非常に高いものである。しかもロック装置の両端二股形差込部は、プラグ側とジャック側の各接続用有底筒状ねじ体を所定深さまで互いに螺合締結しない限り、各接続用有底筒状ねじ体の底部外側面とプラグ及びジャックの環状溝の後側面との間の隙間に差し込むことができない構成であるから、プラグ側とジャック側の各接続用有底筒状ねじ体を完全に螺合締結していない状態のままでロックしてしまう恐れは皆無であり、ケーブルコネクタ自体の完全な接続状態を確認した上でロックすることができる。
【０００８】
尚、請求項２に記載の構成によれば、ロック装置の両端二股形差込部をつなぐ連結部の板厚を薄くしても必要な剛性を確保し、両端二股形差込部の差込操作を容易にすることができ、しかも当該連結部がケーブルコネクタの外側に大きく張り出すことがなくなるので、この連結部に他物が引っ掛かって不測に外れる恐れも解消する。
【０００９】
更に、請求項３に記載の構成によれば、ロック装置の両端二股形差込部をプラグ側、ジャック側の区別なく差込操作できるので、操作性が高められる。
【発明を実施するための最良の形態】
【００１０】
以下に本発明の具体的実施例を添付図に基づいて説明すると、図１〜図３において、１はケーブル２の端末に取り付けられたプラグ、３はケーブル４の端末に取り付けられたジャック、５はロック装置である。プラグ１は、プラグ本体６の先端部６ａから雄形コネクタ部７が突設されると共に当該プラグ本体先端部６ａの内側に環状溝８が形成され、この環状溝８に遊嵌するリング状底部９を備えた接続用有底筒状ねじ体１０がプラグ本体先端部６ａを内包するように装着されたものであり、雄形コネクタ部７には、その先端に開口する所要数の筒形端子１１と位置決め用凹溝部１２とが設けられ、各筒形端子１１とケーブル２の芯線とが電気的に接続されている。また、接続用有底筒状ねじ体１０の先端部内周には雌ねじ部１０ａが設けられている。
【００１１】
ジャック３は、ジャック本体１３の先端部１３ａから雌形コネクタ部１４が突設されると共に当該ジャック本体先端部１３ａの内側に環状溝１５が形成され、この環状溝１５に遊嵌するリング状底部１６を備えた接続用有底筒状ねじ体１７がジャック本体先端部１３ａを内包するように装着されたものであり、雌形コネクタ部１４には、プラグ１の雄形コネクタ部７が嵌入する凹部１８と、当該凹部１８内に突設され且つプラグ１の雄形コネクタ部７における各筒形端子１１に嵌入する所要数のピン形端子１９と、プラグ１の雄形コネクタ部７における位置決め用凹溝部１２に嵌入する位置決め用突条部２０とが設けられ、各ピン形端子１９とケーブル４の芯線とが電気的に接続されている。また、接続用有底筒状ねじ体１７の先端部外周には、プラグ１側の接続用有底筒状ねじ体１０の雌ねじ部１０ａ内に螺嵌し得る雄ねじ部１７ａが設けられている。
【００１２】
而して、プラグ１側の雄形コネクタ部７を除くプラグ本体６とジャック３側の雌形コネクタ部１４を除くジャック本体１３とは、サイズ及び形状とも同一のものであって、それぞれの先端部６ａ，１３ａ及び環状溝８，１５は、直径及び軸心方向長さが同一であり、プラグ本体６とジャック本体１３の周面には、位置決め用凹溝部１２及び位置決め用突条部２０の周方向の位置を示す突条マーク２１，２２が一体に形成されている。尚、プラグ本体６側には、雄形コネクタ部７の基部に外嵌し且つプラグ本体先端部６ａの端面に当接するＯリング２３が装着されている。また、プラグ１側の接続用有底筒状ねじ体１０の外径及びリング状底部９の厚さとジャック３側の接続用有底筒状ねじ体１７の外径及びリング状底部１６の厚さとは同一である。
【００１３】
上記構成のケーブルコネクタによれば、プラグ１側の雄形コネクタ部７をジャック３側の雌形コネクタ部１４内に、雄形コネクタ部７の位置決め用凹溝部１２に雌形コネクタ部１４の位置決め用突条部２０が嵌入するように差し込むことにより、雄形コネクタ部７の各筒形端子１１に雌形コネクタ部１４の各ピン形端子１９が嵌入して、ケーブル２，４を互いに電気的に接続することができる。このとき、図４に示すように、プラグ１側の接続用有底筒状ねじ体１０とジャック３側の接続用有底筒状ねじ体１７とは後退限位置にあって、その先端が互いに隣接している。従って、両接続用有底筒状ねじ体１０，１７を互いに接近させる方向に押し合わせながら両者の雌ねじ部１０ａと雄ねじ部１７ａとを互いに螺合させることにより、互いに相対回転しながら接近する方向に移動する両接続用有底筒状ねじ体１０，１７のリング状底部９，１６の内側面９ａ，１６ａが、プラグ本体６側の環状溝８の前側面８ａとジャック本体１３側の環状溝１５の前側面１５ａとを介して雄形コネクタ部７と雌形コネクタ部１４とを互いにより深く嵌合させる方向に押圧させることになる。
【００１４】
上記作用により明らかな通り、両接続用有底筒状ねじ体１０，１７どうしの螺合締結により雄形コネクタ部７と雌形コネクタ部１４とが、両者間のＯリング２３を圧縮させる完全差し込み状態に保持されることになる。この両接続用有底筒状ねじ体１０，１７どうしの螺合締結完了時には、図５に示すように、両接続用有底筒状ねじ体１０，１７のリング状底部９，１６の外側面９ｂ，１６ｂとプラグ本体６側の環状溝８の後側面８ｂとジャック本体１３側の環状溝１５の後側面１５ｂとの間に、同一幅の隙間２４，２５が形成されている。
【００１５】
ロック装置５は、図５に示す両接続用有底筒状ねじ体１０，１７どうしの螺合締結完了時における前記各隙間２４，２５を丁度埋めることができる板厚の一対の差込部２６，２７を連結部２８で一体化して成るものであって、各差込部２６，２７は、前記隙間２４，２５に対し直径方向に抜き差し自在な二股形状に形成されると共に、その先端部内側には抜け止め用引っ掛かり部２６ａ，２７ａが形成されている。連結部２８は、接続用有底筒状ねじ体１０，１７の直径とほぼ等しい幅と、図５に示す両接続用有底筒状ねじ体１０，１７どうしの螺合締結完了時における前記各隙間２４，２５に一対の差込部２６，２７を同時に差し込むことができる長さとを有するもので、その横断面形状は、両接続用有底筒状ねじ体１０，１７の外周面に沿って湾曲する円弧状に形成されている。
【００１６】
従って、図５に示すように、両接続用有底筒状ねじ体１０，１７どうしの螺合締結完了後に、ロック装置５の一対の二股形差込部２６，２７を、各接続用有底筒状ねじ体１０，１７の底部外側面９ｂ，１６ｂとプラグ１及びジャック３の環状溝８，１５の後側面８ｂ，１５ｂとの間の隙間２４，２５に、その先端部内側の抜け止め用引っ掛かり部２６ａ，２７ａによる抵抗に抗して差し込んで、前記両隙間２４，２５をロック装置５の両端二股形差込部２６，２７で埋めることにより、両接続用有底筒状ねじ体１０，１７の弛み方向の相対回転による互いに離脱する方向の相対移動を確実強力に阻止することができるのである。
【００１７】
尚、両接続用有底筒状ねじ体１０，１７を互いに螺合締結するとき、両接続用有底筒状ねじ体１０，１７が一体に共回りしないように操作しなければならないが、図示のようにプラグ１及びジャック３の環状溝８，１５の前側面８ａ，１５ａ側の周面に、高さの低い軸方向突条部８ｃ，１５ｃを周方向複数本、一体に形成しておき、両接続用有底筒状ねじ体１０，１７を互いに螺合させるために相対的に接近移動させたとき、各接続用有底筒状ねじ体１０，１７が軸方向突条部８ｃ，１５ｃに乗り上げて回転抵抗が著しく増大するように構成しておけば、両接続用有底筒状ねじ体１０，１７の螺合締結操作を容易に行うことができる。
【図面の簡単な説明】
【００１８】
【図１】Ａ図はロック装置使用状態を示す一部縦断側面図、Ｂ図はロック装置の斜視図、Ｃ図はＡ図のＡ−Ａ線断面図である。
【図２】接続する前のケーブルコネクタを示す一部縦断側面図である。
【図３】Ａ図はケーブルコネクタのプラグ側の正面図、Ｂ図はケーブルコネクタのジャック側の正面図である。
【図４】ケーブルコネクタのプラグとジャックとを接続した状態を示す一部縦断側面図である。
【図５】接続完了したケーブルコネクタと使用直前のロック装置とを示す一部縦断側面図である。
【符号の説明】
【００１９】
１    プラグ
３    ジャック
５    ロック装置
６    プラグ本体
６ａ    プラグ本体先端部
７    雄形コネクタ部
８，１５    環状溝
８ａ，１５ａ    環状溝の前側面
８ｂ，１５ｂ    環状溝の後側面
９，１６    リング状底部
９ａ，１６ａ    リング状底部の内側面
９ｂ，１６ｂ    リング状底部の外側面
１０，１７    接続用有底筒状ねじ体
１０ａ    雌ねじ部
１３    
１３ａ    ジャック本体先端部
１４    雌形コネクタ部
１７ａ    雄ねじ部
２４，２５    隙間
２６，２７    一対の二股形差込部
２６ａ，２７ａ    抜け止め用引っ掛かり部
【図１】
2005203303.tif 000003
【図２】
2005203303.tif 000004
【図３】
2005203303.tif 000005
【図４】
2005203303.tif 000006
【図５】
2005203303.tif 000007